(57)【要約】【課題】従来に比し乾燥が早く雨天時や雨天直後に競技継続が可能な陸上競技用マットを供すること。早期乾燥によりマットの移動が容易となる陸上競技用マットを供すること。【解決手段】複数の層によって構成される衝撃吸収層２１と、その上下に設けられる表層１７ａ，１７ｂと、上記各層を積層してなる構造体を被覆するカバー材１９ａ，１９ｂとからなる陸上競技用マットであって、上記各層は衝撃吸収性を有する高通気性材料からなり、カバー材１９ａ，１９ｂは高通気性のネットからなり、衝撃吸収層２１の複数の層は、各層が構成部材の組合せによって構成され、該構成部材の大きさが上部層から下部層になるにつれて大となるため、マットの上部層ほど早急に排水が行われるので雨天時や雨天直後であっても競技の継続が可能となる。また、剛性が大であるので、支持効果が大となり、マット全体が安定する。【選択図】図１
2008272255.tif 000002
【特許請求の範囲】
【請求項１】
複数の層によって構成される衝撃吸収層と、該衝撃吸収層の上下に設けられる表層と、上記各層を積層してなる構造体を被覆するカバー材とからなる陸上競技用マットであって、
上記各層は衝撃吸収性を有する高通気性材料からなり、
上記カバー材は高通気性のネットからなり、
上記衝撃吸収層の複数の層は、各層が構成部材の組合せによって構成され、該構成部材の大きさが上部層から下部層になるにつれて大となることを特徴とする陸上競技用マット。
【請求項２】
請求項１記載の陸上競技用マットにおいて、上記衝撃吸収層は第１層、第２層及び第３層によって構成され、
上記第１層は、均等厚に形成される第１層上部材と第１層下部材とからなり、該第１層上部材はＶ字溝が水平方向に多数連続して設けられ、該第１層下部材はＵ字溝が水平方向に多数連続して設けられ、該第１層上部材のＶ字溝と該第１層下部材のＵ字溝とが直交するように積層され、
上記第２層は、均等厚に形成される第２層上部材と第２層下部材とからなり、該第２層上部材及び該第２層下部材はいずれも矩形の第２層柱状部材を水平方向に間隔をあけて配置してなり、該第２層上部材の第２層柱状部材と該第２層下部材の第２層柱状部材とが直交するように積層され、
第３層は、第３層柱状部材を水平方向に等間隔に配置してなり、該第３層柱状部材が上記第２層下部材の第２層柱状部材と直交するように積層してなることを特徴とする陸上競技用マット。
【請求項３】
請求項１又は請求項２記載の陸上競技用マットにおいて、上記構成部材の厚さが上部層から下部層になるにつれて等比数列的に大となることを特徴とする陸上競技用マット。
【請求項４】
請求項１乃至請求項３いずれか一記載の陸上競技用マットにおいて、上記表層材は表面に突弧状に盛り上がってなる点状部を多数設けることを特徴とする陸上競技用マット。
【請求項５】
請求項１乃至請求項４いずれか一記載の陸上競技用マットにおいて、上記各層を形成する衝撃吸収性を有する高通気性材料がセル膜の実質上ない三次元骨格構造を有するウレタン発泡体であることを特徴とする陸上競技用マット。
【発明の詳細な説明】
【技術分野】
【０００１】
本願発明は、主として棒高跳や走高跳等に用いられる陸上競技用マットに関する。
【背景技術】
【０００２】
棒高跳や走高跳では、競技者の身体が空中に投げ出されるので、安全のため、着地面に衝撃吸収用の陸上競技用マットを敷いて落下時の衝撃を緩和している。
【０００３】
この陸上競技用マットの大きさは、走高跳では横６ｍ以上、奥行３ｍ以上、高０．７ｍ以上と、棒高跳では横５ｍ以上、奥行６．３ｍ以上、高０．８ｍ以上と規定されている（陸上競技場公認に関する細則）。
【０００４】
従来の陸上競技用マットは、単に矩形に成形したウレタンフォームをカバーで被覆したものや、ウレタンフォームの片面が波状に加工された同形の芯体を複数枚積層したもがあった。
【特許文献１】実開昭５０−９６０１３号公報
【０００５】
上述のように、陸上競技用マットには、衝撃吸収性に優れ復元性が高いウレタンフォームが一般的に利用されているが、通常ウレタンフォームは保水性が良く排水性が悪いため雨天時や雨天直後において競技を継続した場合、競技者がマットに落下したときに保水されている水を浴びてしまうことになり競技意欲が損なわれ、結果として競技成績の低下を招きやすいという欠点があった。
【０００６】
また、排水性が悪いため吸水した場合マット重量が重くなり移動に際し運び難くなるので、競技会の運営に支障がでることがあった。
【０００７】
また、保水してしまったマットを完全に乾燥させるには晴天下で１週間以上の時間が必要であり用具の管理に支障をきたしていた。
【０００８】
この点、ウレタンフォームの片面が波状に加工された同形の芯体を複数枚積層した陸上競技用マットは、波状の空間部を備えているため、単に矩形に成形した場合に比べれば多少乾燥も早いが、やはり雨天時や雨天直後に競技を継続することは困難であった。
【発明の開示】
【発明が解決しようとする課題】
【０００９】
本願発明は、従来に比し乾燥が早く雨天時や雨天直後に競技継続が可能な陸上競技用マットを供することを目的とする。また早期乾燥によりマットの移動が容易となる陸上競技用マットを供することも目的とする。
【課題を解決するための手段】
【００１０】
上記目的達成のため、本願発明による陸上競技用マットは、
複数の層によって構成される衝撃吸収層と、該衝撃吸収層の上下に設けられる表層と、上記各層を積層してなる構造体を被覆するカバー材とからなる陸上競技用マットであって、
上記各層は衝撃吸収性を有する高通気性材料からなり、
上記カバー材は高通気性のネットからなり、
上記衝撃吸収層の複数の層は、各層が構成部材の組合せによって構成され、該構成部材の大きさが上部層から下部層になるにつれて大となることを特徴とする。
また、請求項１記載の陸上競技用マットにおいて、上記衝撃吸収層は第１層、第２層及び第３層によって構成され、
上記第１層は、均等厚に形成される第１層上部材と第１層下部材とからなり、該第１層上部材はＶ字溝が水平方向に多数連続して設けられ、該第１層下部材はＵ字溝が水平方向に多数連続して設けられ、該第１層上部材のＶ字溝と該第１層下部材のＵ字溝とが直交するように積層され、
上記第２層は、均等厚に形成される第２層上部材と第２層下部材とからなり、該第２層上部材及び該第２層下部材はいずれも矩形の第２層柱状部材を水平方向に間隔をあけて配置してなり、該第２層上部材の第２層柱状部材と該第２層下部材の第２層柱状部材とが直交するように積層され、
第３層は、第３層柱状部材を水平方向に等間隔に配置してなり、該第３層柱状部材が上記第２層下部材の第２層柱状部材と直交するように積層してなることを特徴とする。
また、請求項１又は請求項２記載の陸上競技用マットにおいて、上記構成部材の厚さが上部層から下部層になるにつれて等比数列的に大となることを特徴とする。
また、請求項１乃至請求項３いずれか一記載の陸上競技用マットにおいて、上記表層材は表面に突弧状に盛り上がってなる点状部を多数設けることを特徴とする。
また、請求項１乃至請求項４いずれか一記載の陸上競技用マットにおいて、上記各層を形成する衝撃吸収性を有する高通気性材料がセル膜の実質上ない三次元骨格構造を有するウレタン発泡体であることを特徴とする。
【発明の効果】
【００１１】
このように、本願発明にかかる陸上競技用マットによれば、各部材が高通気性材料によって形成され、かつ、その構成部材の大きさが上部層から下部層になるにつれて大となるように形成してあり上部層と下部層との接触面積が可及的に小となるため、マットの上部層ほど早急に排水が行われるので雨天時や雨天直後であっても競技の継続が可能となる。
【００１２】
また、構成部材の大きさが上部層から下部層になるにつれて大となるように形成してあり剛性が大であるので、支持効果が大となり、マット全体が安定する。
【発明を実施するための最良の形態】
【００１３】
次に、実施の形態を示す図面に基づき本願発明による陸上競技用マットをさらに詳しく説明する。なお、便宜上同一の機能を奏する部分には同一の符号を付してその説明を省略する。
【００１４】
図１に示すように、本願発明による陸上競技用マット１は、複数の層からなる衝撃吸収層２１と、該衝撃吸収層２１の上部に設けられる表層材１７ａと、その下部に設けられる表層材１７ｂと、ネット１９ａ、１９ｂとからなり、上記衝撃吸収層２１及び表層材１７ａ、１７ｂをネット１９ａ、１９ｂで被覆し固定する。衝撃吸収層２１及び表層材１７ａ，１７ｂに使用される高通気性材料は、いずれもセル膜の実質上ない三次元骨格構造を有する発泡体を指称し、例えば通気量が２００〔ｃｃ／ｃｍ2／ｓｅｃ．〕以上である材料を指す。このような材料として、例えば株式会社ブリヂストン製の「エバーライトＺＣＧ２８」があり、水切れが良い。表１に「エバーライトＺＣＧ２８」の特性を示す。
【００１５】
【表１】
2008272255.tif 000003
【００１６】
ネット１９は、例えば補強繊維入り樹脂ネットのような非塩化ビニル素材であり網目サイズが１乃至１．５ｍｍの高度の通気性を有し、かつ強靱なものである。
【００１７】
上記衝撃吸収層２１は、上部層から順番に第１層１１、第２層１３及び第３層１５にて構成されており、各層間は接着剤で固定され、ずれないように積層している。
【００１８】
上記第１層１１は、上部材１１ａと下部材１１ｂとの上下２層で構成される。上記上部材１１ａは、全体の厚さ（Ｔ１）が６０ｍｍであり、深さ（Ｄ１）４５ｍｍのＶ字溝１２ａが４０ｍｍのピッチ（Ｐ１）で水平方向に連続して形成される（図２（Ａ））。このＶ字溝１２ａの山部１２ｂ及び谷部１２ｃは円弧状に形成されており、その曲率半径Ｒは５ｍｍである。このようにＶ字溝１２ａを設けることにより、上部材１１ａと表層材１７ａとの接触面はＶ字溝１２ａの山部１２ｂのみになって線状の接触となるから、表層材１７ａから水が下に落ちやすくなる。また、このようにして落ちてきた水は、厚さが小であるＶ字溝１２ａの谷部１２ｃに集中するので排水性が高くなる。
【００１９】
上記下部材１１ｂは全体の厚さ（Ｔ２）が６０ｍｍであり、深さ（Ｄ２）４５ｍｍのＵ字溝１２ｄが７５．６ｍｍのピッチ（Ｐ２）で水平方向に連続して形成される（図２（Ｂ））。このＵ字溝１２ｄの幅Ｗは、基部Ｗ０より１５ｍｍ上方に設ける底部Ｗ１が２９．８ｍｍであり、該底部Ｗ１より１２ｍｍ上方の中間部Ｗ２まで徐々に広がって３７．８ｍｍとなり、さらに２１ｍｍ上方の、底部Ｗ１より高さ３３ｍｍから最上部Ｗ３まで徐々に広がって４５．８ｍｍとなる。このように、Ｕ字溝１２ｄを設けることにより、上部材１１ａ以上の剛性を保持しつつも排水性を高めることができる。
【００２０】
上記上部材１１ａのＶ字溝１２ａと上記下部材１１ｂのＵ字溝１２ｄとは直交するように配置されており、接着剤で固定され、ずれないように積層している。
【００２１】
上記第２層１３は、上部材１３ａと下部材１３ｂとの上下２層で構成される。上記上部材１３ａは、厚さ１５０ｍｍ、幅１３０ｍｍの直方体を適宜長さに形成した柱状部材１３ａ’を、幅方向に１４５．４ｍｍの間隔をあけて隣接配置し構成される。上記下部材１３ｂは、厚さ１５０ｍｍ、幅１５３．９ｍｍの直方体を適宜長さに形成した柱状部材１３ｂ’を、幅方向にに１６２．４ｍｍの間隔をあけて隣接配置し構成される。上記間隔にて、各々、上部材１３ａの通水路１３ｃ、下部材１３ｂの通水路１３ｄを形成する。
【００２２】
上記上部材１３ａの柱状部材１３ａ’と上記下部材１３ｂの柱状部材１３ｂ’とは直交するように配置されており、接着剤で固定され、ずれないように積層している。また、上記上部材１３ａの柱状部材１３ａ’は上記下部材１１ｂのＵ字溝１２ｄと直交するように配置されており、接着剤で固定され、ずれないように積層している。
【００２３】
上記第３層１５は、厚さ２８０ｍｍ、幅２３４ｍｍの直方体を適宜長さに形成した柱状部材１５ａ’を、幅方向に２９０．８ｍｍの間隔をあけて隣接配置される。該第３層１５の柱状部材１５ａ’と上記下部材１３ｂの柱状部材１３ｂ’とは直交するように配置されており、接着剤で固定され、ずれないように積層している。上記間隔にて通水路１５ｂを形成する。
【００２４】
上記第１層１１、第２層１３及び第３層１５は、後述するように、その厚さが等比数列的に大となっていてその剛性が大となっている。
【００２５】
上記表層材１７ｂは、全体の厚さ（Ｔ３）が５０ｍｍであり、片面に高さ（Ｈ）２５ｍｍの突弧状に盛り上がった点状部１８を、ピッチ（Ｐ３）５０ｍｍで多数配列し、各列の点状部１８の位相を半ピッチずらして設けられる。該表層材１７ｂは上記衝撃吸収層２１の第３層１５の下面に、点状部１８を下にして接着剤で固定され、ずれないように積層している。このように点状部１８を下向きにすることにより、陸上競技用マット１と地面との間に空間が生じるため排水性が高くなる。また、地面との点接触が位相のずれた多数点で行われるため、マットの支持が向上しマットの安定性に資する。
【００２６】
そして、接着剤によって一体化された上記衝撃吸収層２１及び上記表層材１７ｂは、ネット１９ｂによって被覆される。
【００２７】
上記被覆された上記表層材１７ｂ及び上記衝撃吸収層２１の上部には、ネット１９ａにて被覆された表層材１７ａ（表層材１７ｂと同形）が点状部１８を上にして積層され、ネット１９ａの固定部（図示省略）とネット１９ｂの固定部（図示省略）とが結合され固定される。かくして本願発明による陸上競技用マット１の基本構造が構成される。
【００２８】
通常、公式競技に使用される棒高跳用及び走高跳用マットは移動及び管理の都合上から複数のユニットを組合せて構成される。例えば、棒高跳用マット５０（図３（Ａ））はユニット５１乃至ユニット５９から構成され、走高跳用マット６０（図３（Ｂ））はユニット６１乃至ユニット６４から構成される。
【００２９】
上記陸上競技用マット１は、棒高跳用マット５０のユニット５５乃至ユニット５７として使用される。他のユニット５８及びユニット５９も陸上競技用マット１と同じ層構造のマットが適宜成形して使用される。ここで、ユニット５１乃至ユニット５４は高さが他のユニットの半分程度であり、またバーの助走路側であることから単に高通気性材料を成形したものを使用する。なお、棒高跳用マット５０と走高跳用マット６０とでは、その高さの違いから構成部材の大きさが若干異なっている。
【００３０】
【表２】
2008272255.tif 000004
【００３１】
表２に棒高跳用、走高跳用それぞれに使用される陸上競技用マットの各層の厚さを示す。棒高跳用では第２層の厚さが上部材１３ａ、下部材１３ｂともに１５０ｍｍであるのに対し、走高跳用では第２層の厚さが上部材１３ａ、下部材１３ｂともに１００ｍｍとなっている。この調整によって、積層後の合計の厚さが棒高跳用、走高跳用でそれぞれ８００ｍｍ、７００ｍｍとなる。
【００３２】
このように積層後の合計の厚さが７００ｍｍの陸上競技用マットが適宜成形され走高跳用マット６０の各ユニットとして使用される。
【００３３】
また、第１層の上部材１１ａの厚さに対する衝撃吸収層の各構成部材の厚さ比を表２の［］内に示した。棒高跳用、走高跳用ともに下部層になるほど厚さが大となっており、その比は第２層では平均すると約２、第３層では約４．６であり、ほぼ２倍ずつ大きくなっている。
【００３４】
このように、下部層になるにつれて構成部材の厚さが大となり、構成部材の厚さが上層部ほど小であるため、表層材１７ａとの接触面積が上部ほど小となり、下部になる程排水路がＶ字溝１２ａからＵ字溝１２ｄを経て矩形の通水路１３ｃ、１３ｄ、１５ｂと徐々に大となる構造のため、排水が早急に行われ、表面的な水たまり現象が解消されるので、雨天時や雨天直後であっても競技の継続が可能となる。
【００３５】
また、下部層になるにつれて構成部材の厚さが大となり、かつ、その剛性が大となる構造のため、下部ほど構成部材の撓み量が小となって支持効果が大となり、マット全体が安定する。これにより、競技者が落下した際のいわゆる「底付き」を防止することができる。よって、この面からも競技意欲の向上及び競技成績の向上が期待できる。
【００３６】
第１層１１及び第２層１３は各構成部材が直交するペア構造となっているため、構成部材の方向性がでないので面強度にばらつきが発生せず、剛性が一層増強される。  
【００３７】
また、上部層ほど剛性が小さく下部層ほど剛性が大きいため、クッション性が良い上部層によって落下直後の衝撃をやわらかく受け止め、剛性の大きい下部層が衝撃を確実に吸収するのである。
【００３８】
また、構成部材自体に高通気性材料を用いるとともに、マット構造がＶ字溝１２ａ、Ｕ字溝１２ｄ、通水路１３ｃ、１３ｄ、１５ｂといった空洞構造であるため、ウレタン発泡体の使用量自体が大きく抑えられるので、潜在的な保水量が小となり乾燥が早く行われる。
【００３９】
さらに、競技者が落下する表層材１７ａの面は方向性がないので体圧が分散され、競技者の恐怖心がなくなることが期待できるので、この面からも競技意欲の向上及び競技成績の向上が期待できる。
【００４０】
本願発明は上記した実施の形態に限定されない。例えば、衝撃吸収層及び表層材に使用される高通気性材料はウレタン発泡体に限られず、マットに適した硬さ等の特性を備えた高通気性材料であればよい。
【００４１】
また、衝撃吸収層を構成する層の数は３層に限定されない。
【００４２】
また、各構成部材の各サイズは任意であり、下部層になるにつれて順々に大となればよい。
【産業上の利用可能性】
【００４３】
本願発明は陸上競技の棒高跳や走高跳等陸上競技用具に活用される。
【図面の簡単な説明】
【００４４】
【図１】（Ａ）は本願発明による陸上競技用マットの平面図、（Ｂ）は（Ａ）のＢ−Ｂ断面図、（Ｃ）は（Ａ）のＣ−Ｃ断面図である。
【図２】（Ａ）は図１（Ｂ）のＩＩＡ拡大図、（Ｂ）は図１（Ｃ）のＩＩＢ拡大図、（Ｃ）は図１（Ｃ）のＩＩＣ拡大図、（Ｄ）は図１（Ｂ）のＩＩＤ拡大図である。
【図３】（Ａ）は本願発明による陸上競技用マットを棒高跳用として配置した例を示す平面図、（Ｂ）は走高跳用として配置した例を示す平面図である。
【符号の説明】
【００４５】
１        陸上競技用マット
１１      第１層
１１ａ    上部材
１１ｂ    下部材
１２ａ    Ｖ字溝
１２ｂ    山部
１２ｃ    谷部
１２ｄ    Ｕ字溝
１３      第２層
１３ａ    上部材
１３ａ’  柱状部材
１３ｂ    下部材
１３ｂ’  柱状部材
１３ｃ    通水路
１３ｄ    通水路
１５      第３層
１５ａ’  柱状部材
１５ｂ    通水路
１７ａ    表層材
１７ｂ    表層材
１８      点状部
１９ａ    ネット
１９ｂ    ネット
５０      棒高跳用マット
５５      ユニット
６０      走高跳用マット
６１      ユニット
【図１】
2008272255.tif 000005
【図２】
2008272255.tif 000006
【図３】
2008272255.tif 000007